(57)【要約】【課題】  放熱能力を高め、ユーザーとの位置関係を調節できるノートブック型コンピュータの設置フレームを提供する。【解決手段】  設置台と、二組の駆動部材とを含んでなり、設置台は端縁部にそれぞれ下方向に延伸して形成された側面と、側面の両端にそれぞ形成された孔とを含んでなり、二組の駆動部材は設置台の両側に設けられ、一組の駆動部材が貫通孔を具えた固定板と、連動板と、駆動板と、複数の接続部材とを含み、連動板と、駆動板は、等しい距離に第一孔と、第二孔とを具えてなり、連動板、或いは駆動板は第一孔を設置台の孔に対応して設け、接続部材を第一孔と孔に貫通して連動板、或いは駆動板を設置台へ回動自在に接続し、連動板、或いは駆動板の第二孔を固定板の貫通孔に対応して設け、接続部材を第二孔と貫通孔に貫通して、連動板、或いは駆動板と、固定板とを回動自在に接続し、駆動板の自由端を動かすと、設置台と連動板とが連動して上方の前方に押し動かされる。【選択図】  図１
0003145836.tif 000002
【実用新案登録請求の範囲】
【請求項１】
設置台と、二組の駆動部材と、を含んでなり、
該設置台は、端縁部にそれぞれ下方向に延伸して形成された側面と、該側面の両端にそれぞれ形成された孔とを含んでなり、
該二組の駆動部材は、設置台の両側にそれぞれ設けられ、一組の駆動部材は、固定板と、連動板と、駆動板と、複数の接続部材とを含んでなり、該固定板上には貫通孔が形成され、該連動板と、駆動板上には、等しい距離に第一孔と、第二孔とが形成され、連動板、或いは駆動板は、第一孔が設置台の孔に対応するように設けられ、接続部材を第一孔と孔に貫通して連動板、或いは駆動板と設置台とを回動自在に接続し、該連動板、或いは駆動板は、第二孔が固定板の貫通孔に対応するように設けられ、接続部材を第二孔と、貫通孔に貫通して、連動板、或いは駆動板と、固定板とを回動自在に接続し、駆動板の自由端を動かすと、設置台と連動板とが連動して上昇して上方の前方に押し動かされる構造からなることを特徴とするノートブック型コンピュータの設置フレーム。
【請求項２】
前記固定板が、両端縁部に二つそれぞれ設けられることを特徴とする請求項１に記載のノートブック型コンピュータの設置フレーム。
【請求項３】
前記固定板が、一つの固定板で長い短冊状に形成することを特徴とする請求項１に記載のノートブック型コンピュータの設置フレーム。
【請求項４】
前記設置台の側面が、側面に接続して形成されることを特徴とする請求項１に記載のノートブック型コンピュータの設置フレーム。
【請求項５】
前記設置台の側面が、二つの凸部を具えてなることを特徴とする請求項１に記載のノートブック型コンピュータの設置フレーム。
【考案の詳細な説明】
【技術分野】
【０００１】
この考案は、ノートブック型コンピュータに関し、特にノートブック型コンピュータを設けるために使用するノートブック型コンピュータの設置フレームに関する。
【背景技術】
【０００２】
技術進歩に伴い、人々が使用するコンピュータは、デスクトップ型コンピュータから次第に小型のコンピュータになり、ノートブック型コンピュータが開発された。
【０００３】
コンピュータが小型化されて実用的な新しい技術により、人々はどのような場所でも作業ができるようになった。
【０００４】
このため、移動オフィスという言葉が聞かれるようになり、薄型、軽量、小型なノートブック型コンピュータが最も理想的な製品としてユーザーからの需要が高まっている。
【０００５】
毎年のコンピュータ消費形態の統計によれば、次第に多くの人々がノートブック型コンピュータを使用するようになってきた。即ち、ノートブック型コンピュータが次第にデスクトップ型コンピュータに変わって使用されるようになってきている。
【０００６】
ノートブック型コンピュータは実用的で非常に便利であることに加えて、その性能がデスクトップ型コンピュータを上回り、携帯に便利で高い効率を具えているため、デスクトップ型コンピュータに劣る点がない。
【０００７】
しかしながら、ノートブック型コンピュータは、薄型、軽量、小型に形成されているため、小さな空間内に様々な設備が設けられている。その多くの設備は熱を発生するため、ノートブック型コンピュータの小さな空間に放熱用のファンを設けなければならない。
【０００８】
このため、ファンも小型な場合が多いため、放熱の能力が制限を受ける。よって、いかに放熱の効果を高めるかが、ノートブック型コンピュータにおいて常に改善が求められる課題であった。
【０００９】
ノートブック型コンピュータの設置フレームを設けると、高さが上昇し、放熱能力を提供することができる。
【００１０】
しかしながら、いずれの設置台も固定式で、ノートブック型コンピュータを設けるだけに供している。よって、位置関係において、コンピュータがユーザーから遠く、操作が非常に不便である。
【考案の開示】
【考案が解決しようとする課題】
【００１１】
この考案は、放熱能力を高めるとともに、ユーザーとの位置関係を調節することができるノートブック型コンピュータの設置フレームを提供することを課題とする。
【課題を解決するための手段】
【００１２】
そこで、本考案者は従来の技術に見られる欠点に鑑みて鋭意研究を重ねた結果、設置台と、二組の駆動部材と、を含んでなり、
該設置台は、端縁部にそれぞれ下方向に延伸して形成された側面と、該側面の両端にそれぞれ形成された孔とを含んでなり、
該二組の駆動部材は、設置台の両側にそれぞれ設けられ、一組の駆動部材は、固定板と、連動板と、駆動板と、複数の接続部材とを含んでなり、該固定板上には貫通孔が形成され、該連動板と、駆動板上には、等しい距離に第一孔と、第二孔とが形成され、連動板、或いは駆動板は、第一孔が設置台の孔に対応するように設けられ、接続部材を第一孔と孔に貫通して連動板、或いは駆動板と設置台とを回動自在に接続し、該連動板、或いは駆動板は、第二孔が固定板の貫通孔に対応するように設けられ、接続部材を第二孔と、貫通孔に貫通して、連動板、或いは駆動板と、固定板とを回動自在に接続し、駆動板の自由端を動かすと、設置台と連動板とが連動して上昇して上方の前方に押し動かされる構造からなるノートブック型コンピュータの設置フレームによって課題を解決できる点に着眼し、かかる知見に基づいて本発明を完成させた。
【００１３】
以下、この考案について具体的に説明する。
請求項１に記載のノートブック型コンピュータの設置フレームは、設置台と、二組の駆動部材と、を含んでなり、
該設置台は、端縁部にそれぞれ下方向に延伸して形成された側面と、該側面の両端にそれぞれ形成された孔とを含んでなり、
該二組の駆動部材は、設置台の両側にそれぞれ設けられ、一組の駆動部材は、固定板と、連動板と、駆動板と、複数の接続部材とを含んでなり、該固定板上には貫通孔が形成され、該連動板と、駆動板上には、等しい距離に第一孔と、第二孔とが形成され、連動板、或いは駆動板は、第一孔が設置台の孔に対応するように設けられ、接続部材を第一孔と孔に貫通して連動板、或いは駆動板と設置台とを回動自在に接続し、該連動板、或いは駆動板は、第二孔が固定板の貫通孔に対応するように設けられ、接続部材を第二孔と、貫通孔に貫通して、連動板、或いは駆動板と、固定板とを回動自在に接続し、駆動板の自由端を動かすと、設置台と連動板とが連動して上昇して上方の前方に押し動かされる構造からなる。
【００１４】
請求項２に記載のノートブック型コンピュータの設置フレームは、請求項１における固定板が、両端縁部に二つそれぞれ設けられる。
【００１５】
請求項３に記載のノートブック型コンピュータの設置フレームは、請求項１における固定板が、一つの固定板で長い短冊状に形成する。
【００１６】
請求項４に記載のノートブック型コンピュータの設置フレームは、請求項１における設置台の側面が、側面に接続して形成される。
【００１７】
請求項５に記載のノートブック型コンピュータの設置フレームは、請求項１における設置台の側面が、二つの凸部を具えてなる。
【考案の効果】
【００１８】
この考案によるノートブック型コンピュータの設置フレームは、位置関係が調節できるため操作に便利で、高い放熱能力により使用寿命を延ばすという効果を有する。
【考案を実施するための最良の形態】
【００１９】
この考案は、放熱能力を高め、ユーザーとの位置関係を調節することができるノートブック型コンピュータの設置フレームであって、設置台と、二組の駆動部材と、を含んでなり、
該設置台は、端縁部にそれぞれ下方向に延伸して形成された側面と、該側面の両端にそれぞ形成された孔とを含んでなり、
該二組の駆動部材は、設置台の両側にそれぞれ設けられ、一組の駆動部材は、固定板と、連動板と、駆動板と、複数のの接続部材とを含んでなり、該固定板上には貫通孔が形成され、該連動板と、駆動板上には、等しい距離に第一孔と、第二孔とが形成され、連動板、或いは駆動板は、第一孔が設置台の孔に対応するように設けられ、接続部材を第一孔と孔に貫通して連動板、或いは駆動板と設置台とを回動自在に接続し、該連動板、或いは駆動板は、第二孔が固定板の貫通孔に対応するように設けられ、接続部材を第二孔と、貫通孔に貫通して、連動板、或いは駆動板と、固定板とを回動自在に接続し、駆動板の自由端を動かすと、設置台と連動板とが連動して上昇して上方の前方に押し動かされるノートブック型コンピュータの設置フレームの構造と特徴を詳述するために具体的な実施例を挙げ、図示を参照にして以下に説明する。
【実施例】
【００２０】
図１は、この考案の実施形態を示したものである。図面によれば、この考案のノートブック型コンピュータの設置フレームは、設置台１０と、二組の駆動部材２０とを含んでなる。
【００２１】
該設置台１０は、端縁部に下方向に延伸して形成された側面１１と、該側面１１の両端にそれぞれ形成された孔１１１とを含んでなる。
【００２２】
該二組の駆動部材２０は、それぞれ設置台１０の両側に一組ずつ設けられる。該一組の駆動部材２０は、一つ、或いは二つの固定板３０と、連動板４０と、駆動板５０と、接続部材６０とを含んでなる。
【００２３】
該固定板３０上には貫通孔３１が形成される。該連動板４０と、駆動板５０上には、等しい距離を具えて第一孔４１、５１と、第二孔４２、５２とが形成される。
【００２４】
該連動板４０は、第一孔４１が設置台１０の孔１１１に対応するように設けて、接続部材６０を第一孔４１と孔１１１に貫通して連動板４０と設置台１０とを回動自在に接続する。
【００２５】
該連動板４０は、第二孔４２が固定板３０の貫通孔３１に対応するように設け、接続部材６０を第二孔４２と、貫通孔３１に貫通して、連動板４０と、固定板３０とを回動自在に接続する。
【００２６】
該駆動板５０は、第一孔５１が設置台１０の孔１１１に対応するように設けて接続部材６０を第一孔５１と、孔１１１に貫通して、駆動板５０と、設置台１０とを回動自在に接続する。
【００２７】
該駆動板５０は、第二孔５２が固定板３０の貫通孔３１に対応するように設けて、接続部材６０を第二孔５２と、貫通孔３１に貫通して駆動板５０と固定板３０とを回動自在に接続する。
【００２８】
前述のように組み合わせるため、該駆動板５０の自由端５３は延伸、或いはハンドルに接続する。該駆動板５０の自由端５３が上方へ反り返るように移動すると、設置台１０が前方に押し動かされて設置台１０の高さが上昇する。
【００２９】
図２、図３は、この考案の側面図と、平面に移動した状態を示した説明図である。図面によれば、駆動板５０の自由端５３が下方向に移動すると（図２参照）、駆動板５０の第一孔５１が接続部材６０と、設置台１０とを下方向の後方に押し動かし、連動板４０の第一孔４１と接続部材６０も同時に下方向の後方へ押し動かされる。
【００３０】
また、駆動板５０の自由端５３が上方に移動すると（図３参照）、駆動板５０の第一孔５１が接続部材６０と設置台１０とを上方の前方へ押し上げ、設置台１０上に設けられたノートブック型コンピュータ７０（図８参照）が同時に上方の前方へ押し動かされる。
【００３１】
よって、高さが上昇されて底部の空間が増加して放熱に便利で、ノートブック型コンピュータ７０が前方に押し動かされるため、操作が便利になる。
【００３２】
図４から図６は、この考案の他の実施形態を示した分解図、側面図、側面が移動した状態を示した説明図である。
【００３３】
図面によれば、固定板３０ａは長い短冊状に形成し、両端に隣接する位置に孔３１ａを形成する。
【００３４】
該固定板３０ａは、接続部材６０で駆動板５０と回動自在に接続するとともに、接続部材６０で連動板４０と回動自在に接続し、該駆動板５０は接続部材６０で設置台１０に回動自在に接続し、連動板４０が接続部材６０で設置台１０に回動自在に接続する。
【００３５】
よって、駆動板５０が下向き移動した状態にあると、接続部材６０が設置台１０と、連動板４０とを下方向の後方へ押し動かす。
【００３６】
また、駆動板５０が上方に移動すると、接続部材６０が設置台１０と連動板４０を上方の前方に押し動かす。よって、底部の空間が増加して放熱に便利であるとともに、ノートブック型コンピュータの位置が前方に押し動かされるため操作に便利である。
【００３７】
図７は、設置台の他の実施形態を示した説明図である。図面によれば、この実施形態の設置台１０ａは、側辺に二つの凸部１１ａが形成される。該二つの凸部１１ａにはそれぞれ接続部材を穿設ための孔１１１が形成される。
【００３８】
図８に開示するように、設置台１０は、ノートブック型コンピュータ７０を設けるために供する。よって、駆動板５０が上方に動くと、該駆動板５０が設置台１０と連動板４０とを駆動して設置台１０が上方の前方に押し動かされる。
【００３９】
よって、底部の空間が増加して放熱に便利であるとともに、ノートブック型コンピュータが前方に押し動かされて操作が便利になる。
【００４０】
この考案は、ノートブック型コンピュータを設置台上に設けている場合、駆動板を上方に動かすと、ノートブック型コンピュータと設置台が上方の前方に押し動かされて、ノートブック型コンピュータの底部の空間が増加し、放熱に便利であるとともに、ノートブック型コンピュータの操作が便利になる。
【００４１】
また、この考案は駆動板と連動板に々距離をおいてそれぞれ第一孔と第二孔とを形成し、該孔がそれぞれ固定板、或いは設置台に回動自在に接続する。
【００４２】
よって、駆動板５０を動かすと、設置台と連動板とが連動するとともに、駆動板が上昇して上方の前方に押し動かされ、コンピュータの操作、或いは放熱に便利である。
【００４３】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００４４】
【図１】この考案のノートブック型コンピュータの設置フレームを示した分解図である。
【図２】図１に開示するノートブック型コンピュータの設置フレームを示した側面図である。
【図３】図１に開示するノートブック型コンピュータの設置フレームの操作状態を示した説明図である。
【図４】この考案のノートブック型コンピュータの設置フレームの他の実施形態を示した分解図である。
【図５】図４に開示するノートブック型コンピュータの設置フレームを示した側面図である。
【図６】図４に開示するノートブック型コンピュータの設置フレームの操作状態を示した説明図である。
【図７】この考案のノートブック型コンピュータの設置フレームの設置台の他の実施形態を示した説明図である。
【図８】この考案のノートブック型コンピュータの設置フレームにノートブック型コンピュータを設けた状態を示した分解図である。
【符号の説明】
【００４５】
１０       設置台
１０ａ     設置台
１１       側面
１１ａ     凸部
１１１     孔
２０       駆動部材
３０       固定板
３０ａ     固定板
３１       貫通孔
３１ａ     孔
４０       連動板
４１       第一孔
４２       第二孔
５０       駆動板
５１       第一孔
５２       第二孔
５３       自由端
６０       接続部材
７０       ノートブック型コンピュータ
【図１】
0003145836.tif 000003
【図２】
0003145836.tif 000004
【図３】
0003145836.tif 000005
【図４】
0003145836.tif 000006
【図５】
0003145836.tif 000007
【図６】
0003145836.tif 000008
【図７】
0003145836.tif 000009
【図８】
0003145836.tif 000010